(57)【特許請求の範囲】
【請求項１】
ベランダの手摺り笠木の建築部材に設けられた凹溝に嵌合固定される本体ケースと、
前記本体ケース内の長手方向に所定間隔を置いて取付けられ、夫々ＬＥＤが実装されてなる複数のＬＥＤ基板と、
前記ＬＥＤの所定時間毎の照度が設定可能な照度時間設定手段と、
前記ＬＥＤの照度を変化させるＰＷＭ信号を生成するＰＷＭ信号生成手段とを有し、
前記照度時間設定手段には、前記ＬＥＤが使用される前記ベランダの通路が暗くなっていない時間帯には低い照度が設定され、暗くなる時間帯には高い照度が設定され、
前記ＰＷＭ信号生成手段は、前記照度時間設定手段にて設定された照度に応じたＰＷＭ信号を生成し、該生成されたＰＷＭ信号によって前記ＬＥＤの照度を変化させてなるＬＥＤ照明制御システム。
【請求項２】
前記ＬＥＤが使用される周囲の光量を検知する光量検知手段と、該光量検知手段にて検知した光量が所定レベルの閾値以上かあるいは以下かを判定する光量判定手段と、該光量判定手段の判定結果に応じて前記ＬＥＤの点灯／消灯を制御するＬＥＤ駆動手段とをさらに有してなる請求項１に記載のＬＥＤ照明制御システム。
【請求項３】
前記閾値を自由に設定可能な閾値設定手段をさらに有してなる請求項２に記載のＬＥＤ照明制御システム。
【発明の詳細な説明】
【技術分野】
【０００１】
本発明は、ベランダの手摺り等の建築部材に取り付けて使用されるＬＥＤの照度を制御するＬＥＤ照明制御システムに関する。
【背景技術】
【０００２】
一般的に、ベランダで夜間に洗濯物を干すような場合、室内の照明がカーテン等で遮断されるとベランダが暗闇となって、物干し作業が非常にやり難くなることが知られている。そこで、そのような問題点を解消すべく、例えば、特許文献１に記載のようなＬＥＤ照明装置を用いて物干し作業を行うことが考えられる。
【先行技術文献】
【特許文献】
【０００３】
【特許文献１】特開２０１０−０９７７６３号公報
【発明の概要】
【発明が解決しようとする課題】
【０００４】
しかしながら、上記のようなＬＥＤ照明装置は固定された照度で周囲を照らすことしかできず、ＬＥＤの照度を自由に変更できるものではなかった。そのため、ＬＥＤの照度が低くても充分な時間帯であっても、照度が固定されているため常時同じ照度で周囲を照らさなければならず、無駄な電力を消費してしまうという問題があった。
【０００５】
そこで本発明は、上記問題点に鑑み、ＬＥＤの照度を自由に変更できるＬＥＤ照明制御システムを提供することを目的としている。
【課題を解決するための手段】
【０００６】
上記課題を解決するための手段を、後述する実施形態の参照符号を付して説明する。請求項１に係るＬＥＤ照明制御システムは、ベランダの手摺り笠木２の建築部材に設けられた凹溝（照明装置取付用凹溝１０）に嵌合固定される本体ケース１２と、前記本体ケース１２内の長手方向に所定間隔を置いて取付けられ、夫々ＬＥＤ６が実装されてなる複数のＬＥＤ基板１４と、
前記ＬＥＤ６の所定時間毎の照度が設定可能な照度時間設定手段（タイマスイッチ部１０１，照度設定部１０３）と、
前記ＬＥＤ６の照度を変化させるＰＷＭ信号を生成するＰＷＭ信号生成手段（ＰＷＭ信号生成部１０４）とを有し、
前記照度時間設定手段（タイマスイッチ部１０１，照度設定部１０３）には、前記ＬＥＤ６が使用される前記ベランダの通路が暗くなっていない時間帯には低い照度が設定され、暗くなる時間帯には高い照度が設定され、
前記ＰＷＭ信号生成手段（ＰＷＭ信号生成部１０４）は、前記照度時間設定手段（タイマスイッチ部１０１，照度設定部１０３）にて設定された照度に応じたＰＷＭ信号を生成し、該生成されたＰＷＭ信号によって前記ＬＥＤ６の照度を変化させてなることを特徴としている。
【０００９】
一方、請求項２に係るＬＥＤ照明制御システムは、上記請求項１に記載のＬＥＤ照明制御システムにおいて、前記ＬＥＤ制御ユニット１００は、前記ＬＥＤ６が使用される周囲の光量を検知する光量検知手段（光センサ１０７ａ）と、該光量検知手段（光センサ１０７ａ）にて検知した光量が所定レベルの閾値以上かあるいは以下かを判定する光量判定手段（光量判定部１０７ｂ）と、該光量判定手段（光量判定部１０７ｂ）の判定結果に応じて前記ＬＥＤ６の点灯／消灯を制御するＬＥＤ駆動手段（ＬＥＤ駆動部１０２）とをさらに有してなることを特徴としている。
【００１０】
そして、請求項３に係るＬＥＤ照明制御システムは、上記請求項２に記載のＬＥＤ照明制御システムにおいて、前記ＬＥＤ制御ユニット１００は、さらに、前記閾値を自由に設定可能な閾値設定手段（閾値設定部１０７ｃ）をさらに有してなることを特徴としている。
【発明の効果】
【００１１】
次に、本発明の効果について、図面の参照符号を付して説明する。まず、請求項１の発明に係るＬＥＤ照明制御システムでは、ベランダの手摺り笠木２の建築部材に設けられた凹溝（照明装置取付用凹溝１０）に嵌合固定される本体ケース１２内に複数のＬＥＤ基板１４が所定間隔を置いて取付けられ、その各ＬＥＤ基板１４には夫々ＬＥＤ６が実装されている。そして、照度時間設定手段（タイマスイッチ部１０１，照度設定部１０３）にて前記ベランダの通路が暗くなっていない時間帯には前記ＬＥＤ６の照度が低く設定され、暗くなる時間帯には高く設定されている。これにより、ＰＷＭ信号生成手段（ＰＷＭ信号生成部１０４）は、前記照度時間設定手段（タイマスイッチ部１０１，照度設定部１０３）にて設定された照度に応じたＰＷＭ信号を生成し、該生成されたＰＷＭ信号によって前記ＬＥＤ６の照度を変化させている。そのため、ＬＥＤが使用されるベランダの通路がまだ暗くなっていない時間帯には、低い照度でベランダの通路を照らし、ＬＥＤが使用されるベランダの通路が暗くなる時間帯には、より高い照度でＬＥＤが使用されるベランダの通路を照らすことができる。それゆえ、本発明によれば、常時ＬＥＤ６の最大照度でＬＥＤが使用されるベランダの通路を照らした場合に比べ、電力を節電できることになる。それゆえ、無駄な電力消費を抑えることができる。
【００１２】
また、本発明によれば、ＰＷＭ信号にてＬＥＤ６の照度を変化させていることから、電圧自体は変化しないため、電力損失を低く抑えることができる。さらには、ＰＷＭ信号にてＬＥＤ６の照度を変化させることにより、ＬＥＤ６が常時点灯することがないため、ＬＥＤ６の温度上昇を抑えることができ、ＬＥＤ６の製品寿命を長く保つことができる。
【００１４】
一方、請求項２の発明によれば、光量検知手段（光センサ１０７ａ）にてＬＥＤ６が使用される周囲の光量を検知し、その検知した光量が所定レベルの閾値以上かあるいは以下かを光量判定手段（光量判定部１０７ｂ）に判定し、その判定結果に応じてＬＥＤ駆動手段（ＬＥＤ駆動部１０２）が、上記ＬＥＤ６の点灯／消灯を制御する。それゆえ、ＬＥＤ６を使用する周囲の周辺環境に応じてＬＥＤ６の点灯／消灯を制御することができるため、より消費電力を低く抑えることができる。
【００１５】
さらに、請求項３の発明によれば、閾値設定手段（閾値設定部１０７ｃ）にて、上記所定レベルの閾値を自由に設定できるから、ＬＥＤ６を使用する周囲の周辺環境に応じた設定をすることができる。
【図面の簡単な説明】
【００１６】
【図１】（ａ）は本発明に係るＬＥＤ照明制御システムの手摺りを室外側から見た正面図、（ｂ）は（ａ）のＡ−Ａ線拡大断面図である。
【図２】図１のＢ−Ｂ線拡大断面図である。
【図３】（ａ）は図２の矢印Ｃで示す部分の拡大図、（ｂ）は（ａ）に示すＬＥＤ照明装置を照明装置取付用凹溝に嵌め込もうとしている状態を示す拡大斜視図である。
【図４】ＬＥＤ照明装置を示す拡大斜視図である。
【図５】ＬＥＤ制御ユニットのブロック図である。
【図６】タイマスイッチ部の正面図である。
【図７】ＬＥＤの照度を所定時間毎に設定した場合の設定例を示すグラフ図である。
【図８】ＰＷＭ信号の出力幅を夫々示し、（ａ）は出力幅１００％のＰＷＭ信号を示す図、（ｂ）は出力幅７５％のＰＷＭ信号を示す図、（ｃ）は出力幅５０％のＰＷＭ信号を示す図、（ｄ）は出力幅２５％のＰＷＭ信号を示す図である。
【発明を実施するための形態】
【００１７】
以下、本発明に係るＬＥＤ照明制御システムの一実施形態を、図面を参照して具体的に説明する。図１及び図２には、ベランダの室外側端部に設置されたＬＥＤ照明制御システムの一部を構成する手摺り４０を室外側から見たものが示されており、この手摺り４０は、ベランダ通路Ｔの室外側端部に設けられた堰壁Ｓ上に沿って支柱１を一定間隔に立設し、これら支柱１・・・の上端部に手摺り笠木２を架け渡すと共に、隣り合う支柱１，１の下端部同士を下枠３によって連結し、隣り合う両支柱１，１と手摺り笠木２と下枠３とで形成される区画４内にガラス板（パネル）５を嵌装してなるものである。
【００１８】
さらに詳しく、隣り合う両支柱１，１と手摺り笠木２と下枠３とで形成される区画４内でのガラス板５の取付構造について説明すると、左右各支柱１は、図１（ｂ）及び図２に示すように、角筒状の支柱本体２８と、この支柱本体２８の室外側面に突設された目地枠２９とからなる。そして、下枠３は、左右に対向する支柱１，１の目地枠２９，２９間に介装されていて、下枠３の端部が支柱本体２８にビス３０で固定されている。一方、ガラス板５は、その上端部が後述する手摺り笠木２の基枠８のガラス嵌合部１１に嵌合され、左右各端部が目地枠２９のガラス嵌合部３２に嵌合された状態で、区画４内に嵌装されている。なお、符号３３は、化粧カバーであって、支柱１の目地枠２９を挟んで対向する両側の区画４，４の両下枠３，３の対向端面間の隙間３４を覆い、ビス３５によって両下枠に固定されている。
【００１９】
ところで、手摺り笠木２は、図２に示すように、支柱１の上端面に載設固定されるアルミ押出形材製の基枠８と、この基枠８の上面側を覆うように流線形状に形成され、基枠８に対し取外し可能に係嵌固定されるアルミ押出形材製の笠木本体９とからなる。そして、手摺り笠木２全体の横断面形状において、通路Ｔ側端部２ａが比較的細い流線型に形成され、その反対側の屋外側端部２ｂが比較的太い流線型に形成される。
【００２０】
さらに、通路Ｔ側端部２ａは、支柱１の通路側側面１ａよりベランダ通路Ｔ側へ出っ張るように形成され、通路Ｔと反対側の端部である屋外側端部２ｂは、支柱１の屋外側側面１ｂよりも屋外側へ若干出っ張るように形成される。そして、この通路Ｔ側の出っ張り端部２ａの下面側には、多数のＬＥＤ６を笠木長手方向に一定間隔に配設してなるＬＥＤ照明装置７が装備され、このＬＥＤ照明装置７によってベランダ通路Ｔを照らすことができるようになっている。一方、屋外側端部２ｂの下面側には、当該端部２ｂと下枠３と隣り合う両支柱１，１とによって形成される区画４内に上記ガラス板５が嵌装されている。
【００２１】
また、手摺り笠木２を形成する基枠８の下面には、図２及び図３（ａ）に示すように、手摺り笠木２の通路Ｔ側端部２ａに、照明装置取付用凹溝１０が手摺り笠木２の長手方向に沿ってその全長にわたり凹設されている。そして、図２に示すように、反対側の屋外側端部２ｂにはガラス板嵌合部１１が凹設されている。さらに、図２又は図３（ａ）に示すように、上記基枠８の両側端部に被係嵌部８ａ，８ｂが形成され、笠木本体９の両側端には、基枠８の被係嵌部８ａ，８ｂに係嵌可能な係嵌部９ａ，９ｂが形成されている。これにより、笠木本体９は、その係嵌部９ａ，９ｂが基枠８の被係嵌部８ａ，８ｂに係嵌されて、基枠８に対し取外し可能に係嵌固定されることとなる。
【００２２】
他方、上記ＬＥＤ照明装置７は、図３（ａ），（ｂ）に示すように、手摺り笠木２の通路Ｔ側端部２ａの下面に手摺り笠木２の長手方向に沿って凹設された照明装置取付用凹溝１０に嵌合固定される。そして、図４に示すように、上記ＬＥＤ照明装置７は、所定長さに切断可能なアルミ押出形材からなる本体ケース１２と、この本体ケース１２内にその長手方向一定間隔に保持されて、夫々複数のＬＥＤ６を定位置に実装した複数のＬＥＤ基板１４と、これらＬＥＤ基板１４を電気的に接続する接続配線１５と、この接続配線１５の両端部に設けられたジョイントコネクタ２６，２７とからなる。
【００２３】
上記本体ケース１２は、アルミ押出形材からなるもので、図３（ａ），（ｂ）及び図４に示すように、両側壁部１７，１８と、両側壁部１７，１８の下端部側同士をつなぐ連結壁部１９と、この連結壁部１９の下面側の両側端部にＬＥＤ基板１４の両側端部が嵌合するように対向形成された両側一対の嵌合凹部２０，２１と、両側壁部１７，１８の夫々上端部に夫々外向きに突設されていて、上記照明装置取付用凹溝１０の対向壁面１０ａ，１０ｂの夫々奥部に設けられた係嵌凹部２２，２３に係嵌する両側一対の係嵌突起２４，２５とによって構成される。そして、この本体ケース１２は、図３（ｂ）に示すように、連結壁部１９の下面と両側一対の嵌合凹部２０，２１との間にＬＥＤ基板１４を嵌合保持して、このＬＥＤ基板１４の下面側に取り付けられたＬＥＤ６（図３（ａ）参照）を両側一対の嵌合凹部２０，２１の間から下方へ向けて発光できるようになっている。なお、両側壁部１７，１８は、図３（ｂ）に示すように、上端部に形成された両係嵌突起２４，２５の外法幅Ｗａが照明装置取付用凹溝１０の対向壁面１０ａ，１０ｂの内法幅Ｗｂよりも僅かに大きくなるように形成されている。
【００２４】
ここで、上記ＬＥＤ照明装置７を組み立てる方法を説明すると、まず、各ＬＥＤ基板１４の表面側所定位置に、例えば２個のＬＥＤ６（図４参照）と抵抗（図示省略）とを実装し、この基板１４の裏面側にプリントされている配線（図示省略）に接続する。そして、本体ケース１２を図４に示すように逆様に引っ繰り返した状態で、この本体ケース１２の一端側から、所要数個のＬＥＤ基板１４・・・を、連結壁部１９と両側一対の嵌合凹部２０，２１との間に挿入嵌合して、これらのＬＥＤ基板１４・・・を同図に示すように所定間隔に位置決めし、連結壁部１９の背面側に逃がした接続配線１５によって電気的に接続する。一方、接続配線１５は、図４に示すように、当該両端部に夫々、ジョイントコネクタのオス端子２６とメス端子２７が取り付けられ、また、図３（ａ）に少しだけ示すように、ＬＥＤ基板１４を配設した本体ケース１２の連結壁部１９の下部側には、シール材３６が取り付けられている。このシール材３６は、液状又は半液状の硬化性シリコン樹脂等で形成され、ＬＥＤ基板１４を埋め尽くすと共に、ＬＥＤ６の表面のみが下向きに露出する状態となるように装填されている。これにより、防水処理が施される。なお、シール材３６を硬化性シリコン樹脂で形成する場合は、ＬＥＤ基板１４を連結壁部１９の下部側に固定するための保持部材としてシール材３６を利用することも可能である。
【００２５】
このように組み立てられるＬＥＤ照明装置７は、例えば図１（ａ）に示す手摺りの隣り合う支柱１，１間のピッチに相当する長さに形成され、その長さに形成された所要本数のＬＥＤ照明装置７は、手摺り笠木２の通路Ｔ側端部２ａの照明装置取付用凹溝１０に対して、一端部側から順次、図３（ｂ）に示すような状態で嵌め込まれ、手摺り笠木２の全長に亘ってその照明装置取付用凹溝１０内で本体ケース１２の端面同士が当接し合う状態になるように取り付けられる。そしてこの取付けの際、各ＬＥＤ照明装置７は、図４に示すようなジョイントコネクタのオス端子２６とメス端子２７とを、本体ケース１２内で互いに他のＬＥＤ照明装置７のジョイントコネクタのオス端子２６とメス端子２７との凹凸嵌合することによって相互に電気的に接続し、手摺り笠木２の全長に形成されている照明装置取付用凹溝１０の全長に亘って一連のＬＥＤ照明装置７・・・が間断なく連続的に取り付けられる。また、この一連のＬＥＤ照明装置７・・・の一端側のジョイントコネクタ２６，２７は、図２に示す、ＬＥＤ制御ユニット１００に電気的に接続されている。なお、この一連のＬＥＤ照明装置７の他端側では、ジョイントコネクタのオス端子２６とメス端子２７と互いに係合させればよい。
【００２６】
一方、ＬＥＤ照明装置７の本体ケース１２を手摺り笠木２の照明装置取付用凹溝１０に嵌合するにあたって、両側壁部１７，１８上端部の両係嵌突起２４，２５は図３（ｂ）に示すように外法幅Ｗａが照明装置取付用凹溝１０の対向壁面１０ａ，１０ｂの内法幅Ｗｂよりも僅かに大きいため、両側壁部１７，１８の上端部側を凹溝１０に突入させて、係嵌突起２４，２５を凹溝１０の壁面１０ａ，１０ｂに沿わせながら押し込むことにより、係嵌突起２４，２５が壁面１０ａ，１０ｂの奥部に設けられた係嵌凹部２２，２３に係嵌される。これにより、本体ケース１２は、凹溝１０に対し抜け出し不能に固定される。
【００２７】
また、図３に示すように、本体ケース１２の連結壁部１９は両側壁部１７，１８に対し所定角度で斜光するように形成されている。それゆえ、この連結壁部１９の下面に沿って取り付けられるＬＥＤ基板１４は、水平面に対し所定角度傾斜することとなる。ここで、例えば、ＬＥＤ基板１４の所定角度の傾斜が、水平面に対し室内側上り傾斜３０°だとすると、ＬＥＤ基板１４の下面に配設されるＬＥＤ６も水平面に対して３０°傾斜することとなるため、手摺りの使用においてＬＥＤ照明装置７のＬＥＤ基板１４のＬＥＤ６から発光される光は、図２に示すように、手摺り笠木２の通路Ｔ側端部２ａから室内側へ３０°の傾斜角度でベランダ通路を照らすようになる。これにより、夜間ベランダで洗濯物を干すような場合に、上記のようにＬＥＤ６を発光させれば、室内の照明がカーテン等で遮断されていても、ベランダが明るくなって物干しが非常にやり易くなる。また、手摺り笠木２の通路Ｔ側端部２ａ下面側に設けたＬＥＤ照明装置７の使用によって、ＬＥＤ６が、ベランダ以外の段差のある通路や階段では、歩行者の足元を的確に照らすことができるため、歩行者の安全を充分に確保できる。なお、本実施形態においては、連結壁部１９の下面に沿って取り付けられるＬＥＤ基板１４が水平面に対し所定角度傾斜している例を示したが、勿論傾斜させずとも良い。
【００２８】
他方、上記ＬＥＤ制御ユニット１００は、ＬＥＤ６の照度を所定時間毎に変化するように制御するもので、図５に示すように構成されるものである。すなわち、ＬＥＤ制御ユニット１００は、図５に示すように、タイマスイッチ部１０１を有し、このタイマスイッチ部１０１は、上記所定時間を設定することができるものである。
【００２９】
より詳しくは、タイマスイッチ部１０１は、図６に示すように５系統の出力回路ＣＨ１〜ＣＨ５を有し、この各出力回路ＣＨ１〜ＣＨ５は、各出力回路ＣＨ１〜ＣＨ５に夫々対応したスイッチ１０１ａ１〜１０１ａ５にて「入」／「切」することができるようになっている。さらに、タイマスイッチ部１０１は、ＬＣＤ表示部１０１ｂを有し、現在の時刻、あるいは、各出力回路ＣＨ１〜ＣＨ５の設定時刻を確認できるようになっている。また、タイマスイッチ部１０１は、モード切替スイッチ１０１ｃを有し、このモード切替スイッチ１０１ｃを切り替えることで、上記各出力回路ＣＨ１〜ＣＨ５の設定モードあるいは動作モードを切り替えることができるようになっている。
【００３０】
すなわち、このモード切替スイッチ１０１ｃが設定モードに切り替えられている時は、タイマスイッチ部１０１に設けられている時刻合わせキー１０１ｄを、例えば、長押しすることにより、ＬＣＤ表示部１０１ｂに表示されている時刻及び各出力回路ＣＨ１〜ＣＨ５に対応している数字が点滅し、時刻を設定できるようになる。これにより、使用者は、各出力回路ＣＨ１〜ＣＨ５の動作開始時刻及び動作終了時刻を夫々時刻設定キー１０１ｅ，１０１ｆを用いて所定の時刻に設定し、セットキー１０１ｇにて当該設定時刻をセットすることができる。そして、当該設定時刻をセットし終えた後モード切替スイッチ１０１ｃが動作モードに切り替えられると、各出力回路ＣＨ１〜ＣＨ５は、夫々設定された動作開始時刻に有効信号（「Ｈｉ」パルスあるいは「Ｌｏｗ」パルス）を、ＬＥＤ駆動部１０２に出力し（図５参照）、動作終了時刻になると無効信号（動作開始時刻に出力されたパルスとは逆のパルス）をＬＥＤ駆動部１０２に出力する。なお、各出力回路ＣＨ１〜ＣＨ５からは、通常無効信号が夫々出力されている。
【００３１】
さらに、ＬＥＤ制御ユニット１００は、図５に示すように、照度設定部１０３を有しており、上記のように構成されるタイマスイッチ１０１にて設定された所定時間毎のＬＥＤ６の照度を設定することができる。すなわち、照度設定部１０３は、タイマスイッチ部１０１と同様５系統の出力回路が設けられており、その５系統の出力回路毎にＬＥＤ６の照度を設定でき、その設定された照度設定値がＰＷＭ信号生成部１０４に出力されるというものである。
【００３２】
具体的には、図７に示すように、タイマスイッチ部１０１にて、出力回路ＣＨ１の動作開始時刻が１８時に動作終了時刻が２０時に設定され、出力回路ＣＨ２の動作開始時刻が２０時に動作終了時刻が２２時に設定され、出力回路ＣＨ３の動作開始時刻が２２時に動作終了時刻が０時に設定され、出力回路ＣＨ４の動作開始時刻が０時に動作終了時刻が２時に設定され、出力回路ＣＨ５の動作開始時刻が２時に動作終了時刻が６時に設定された際、その設定時間毎のＬＥＤ６の照度を照度設定部１０３にて設定するものである。すなわち、出力回路ＣＨ１の動作時に、ＬＥＤ６の照度を３０ルクスにしたい場合、ＬＥＤ６の最大照度を６０ルクスとすると、その半分になるため、「５０」と設定する。そして、出力回路ＣＨ２の動作時に、ＬＥＤ６の照度を６０ルクスにしたい場合、そのままの照度であるため、「１００」あるいは「００」と設定する。さらに、出力回路ＣＨ３の動作時に、ＬＥＤ６の照度を４５ルクスにしたい場合、ＬＥＤ６の最大照度を６０ルクスとすると、その３／４になるため、「７５」と設定する。また、出力回路ＣＨ４の動作時に、ＬＥＤ６の照度を３０ルクスにしたい場合、ＬＥＤ６の最大照度を６０ルクスとすると、その半分になるため、「５０」と設定する。そして、出力回路ＣＨ４の動作時に、ＬＥＤ６の照度を１５ルクスにしたい場合、ＬＥＤ６の最大照度を６０ルクスとすると、その１／４になるため、「２５」と設定する。そして、このように設定されたこれら設定値がＰＷＭ信号生成部１０４に夫々出力されることとなる。なお、本実施形態にて説明した照度設定部１０３は、ＬＥＤ６の最大照度に対するパーセンテージを設定する例を示したが、直接、照度を設定するような構成にしても良い。
【００３３】
一方、上記ＰＷＭ信号生成部１０４は、上記照度設定部１０３に設定された設定値に応じたＰＷＭ信号を生成し、ＬＥＤ駆動部１０２に出力するものである。すなわち、上記照度設定部１０３にて設定された設定値が「１００」あるいは「００」の場合は、ＰＷＭ信号生成部１０４は、図８（ａ）に示すＰＷＭ信号を生成し、上記照度設定部１０３にて設定された設定値が「７５」の場合は、図８（ｂ）に示すＰＷＭ信号を生成し、上記照度設定部１０３にて設定された設定値が「５０」の場合は、図８（ｃ）に示すＰＷＭ信号を生成し、上記照度設定部１０３にて設定された設定値が「２５」の場合は、図８（ｄ）に示すＰＷＭ信号を生成し、夫々生成した信号をＬＥＤ駆動部１０２に出力するものである。
【００３４】
他方、ＬＥＤ駆動部１０２は、タイマスイッチ部１０１より出力される出力回路ＣＨ１〜ＣＨ５の出力信号に基づき、ＰＷＭ信号生成部１０４にて生成された信号をＤ／Ａ変換部１０５に出力するものである。具体的には、図７に示すように、タイマスイッチ部１０１にて、出力回路ＣＨ１の動作開始時刻が１８時に動作終了時刻が２０時に設定されている場合、その時間内、出力回路ＣＨ１より有効信号が出力されているため、ＬＥＤ駆動部１０２は、その有効信号に基づき、照度設定部１０３にて最初に設定された値「５０」に応じたＰＷＭ信号（図８（ｃ）参照）を選択し、Ｄ／Ａ変換部１０５に出力する。また、タイマスイッチ部１０１にて、出力回路ＣＨ２の動作開始時刻が２０時に動作終了時刻が２２時に設定されていると、その時間内、出力回路ＣＨ２より有効信号が出力されているため、ＬＥＤ駆動部１０２は、その有効信号に基づき、照度設定部１０３にて２番目に設定された値「１００」あるいは「００」に応じたＰＷＭ信号（図８（ａ）参照）を選択し、Ｄ／Ａ変換部１０５に出力する。そして、タイマスイッチ部１０１にて、出力回路ＣＨ３の動作開始時刻が２２時に動作終了時刻が０時に設定されていると、その時間内、出力回路ＣＨ３より有効信号が出力されているため、ＬＥＤ駆動部１０２は、その有効信号に基づき、照度設定部１０３にて３番目に設定された値「７５」に応じたＰＷＭ信号（図８（ｂ）参照）を選択し、Ｄ／Ａ変換部１０５に出力する。さらに、タイマスイッチ部１０１にて、出力回路ＣＨ４の動作開始時刻が０時に動作終了時刻が２時に設定されていると、その時間内、出力回路ＣＨ４より有効信号が出力されているため、ＬＥＤ駆動部１０２は、その有効信号に基づき、照度設定部１０３にて４番目に設定された値「５０」に応じたＰＷＭ信号（図８（ｃ）参照）を選択し、Ｄ／Ａ変換部１０５に出力する。そして、タイマスイッチ部１０１にて、出力回路ＣＨ５の動作開始時刻が２時に動作終了時刻が６時に設定されていると、その時間内、出力回路ＣＨ５より有効信号が出力されているため、ＬＥＤ駆動部１０２は、その有効信号に基づき、照度設定部１０３にて最後に設定された値「２５」に応じたＰＷＭ信号（図８（ｄ）参照）を選択し、Ｄ／Ａ変換部１０５に出力するというものである。なお、Ｄ／Ａ変換部１０５は、上記ＬＥＤ駆動部１０２より出力されたデジタル信号をアナログ変換し、ＬＥＤ６へ出力するものである。
【００３５】
しかして、ＬＥＤ６の照度は、上述したようにＰＷＭ信号にて変化させるものであるから、電圧自体は変化しないため、電力損失を低く抑えることができる。さらには、ＰＷＭ信号にてＬＥＤ６の照度を変化させることにより、ＬＥＤ６が常時点灯することがないため、ＬＥＤ６の温度上昇を抑えることができ、ＬＥＤ６の製品寿命を長く保つことができる。また、タイマスイッチ部１０１及び照度設定部１０３にて、所定時間毎のＬＥＤ６の照度を設定することができるから、使用者は、ＬＥＤ６を使用する通路Ｔ（図２参照）周辺の環境に応じて自由にＬＥＤ６の照度を設定することができる。
【００３６】
ところで、ＬＥＤ駆動部１０２には、図５に示すように、さらに、人感センサ１０６と光センサ部１０７が電気的に接続されている。人感センサ１０６は、当該人感センサ１０６から所定の範囲内に人が存在するか否かを検知するもので、その検知内容がＬＥＤ駆動部１０２に出力される。ＬＥＤ駆動部１０２は、人感センサ１０６より受信した信号に基づき、人を検知した場合は、上述した所定時間毎に設定されたＰＷＭ信号を出力し、人を検知していない場合は、上記ＰＷＭ信号の出力を停止する。これにより、ＬＥＤ６を無駄に点灯させることがないため、消費電力を低く抑えることができる。
【００３７】
一方、光センサ部１０７は、図５に示すように、光センサ１０７ａと、光量判定部１０７ｂと、閾値設定部１０７ｃと、光センサスイッチ部１０７ｄとで構成されている。光センサ１０７ａは、フォトダイオード等の光電変換素子よりなり、通路Ｔ（図２参照）周辺の光量を検知し、その検知した光量を光量判定部１０７ｂに出力する。光量判定部１０７ｂは、上記検知された光量が所定レベルの閾値以上か以下かを判定し、上記検知された光量が所定レベルの閾値以下であれば、ＬＥＤ６を点灯させる指令信号をＬＥＤ駆動部１０２に出力し、上記検知された光量が所定レベルの閾値以下であれば、ＬＥＤ６を消灯させる指令信号をＬＥＤ駆動部１０２に出力する。また、閾値設定部１０７ｃは、上記所定レベルの閾値を自由に設定できるものであり、設定された値が光量判定部１０７ｂに出力される。これにより、ＬＥＤ６を使用する通路Ｔ（図２参照）の周辺環境に応じた設定をすることができる。さらに、光センサスイッチ部１０７ｄは、光センサ１０７ａの動作をＯＮ／ＯＦＦすることができるもので、その設定されたＯＮ／ＯＦＦ信号を光量判定部１０７ｂに出力する。なお、光量判定部１０７ｂは、上記光センサスイッチ部１０７ｄよりＯＦＦ信号が出力された際、ＬＥＤ駆動部１０２に光センサ１０７ａの動作を停止させたとの信号を出力する。すなわち、この場合、ＬＥＤ駆動部１０２に光センサ部１０７が電気的に接続されていないことと同様の状態となる。
【００３８】
一方、ＬＥＤ駆動部１０２は、上記ＬＥＤ６の点灯／消灯の指令信号及び人感センサ１０６の信号に基づき、上述した所定時間毎に設定されたＰＷＭ信号を出力あるいはその出力を停止させるものである。すなわち、上記光量判定部１０７ｂにて判定した信号がＬＥＤ６を点灯させる指令信号でなお且つ人感センサ１０６にて人を検知した場合、ＬＥＤ駆動部１０２は、上述した所定時間毎に設定されたＰＷＭ信号を出力する。そして、上記光量判定部１０７ｂにて判定した信号がＬＥＤ６を点灯させる指令信号でなお且つ人感センサ１０６にて人を検知していない場合、ＬＥＤ駆動部１０２は、上述した所定時間毎に設定されたＰＷＭ信号を停止する。さらに、上記光量判定部１０７ｂにて判定した信号がＬＥＤ６を消灯させる指令信号の場合、ＬＥＤ駆動部１０２は、人感センサ１０６における人の検知の有無に関わらず、上述した所定時間毎に設定されたＰＷＭ信号を停止する。これにより、ＬＥＤ６を無駄に点灯させることがないため、消費電力を低く抑えることができる。なお、タイマスイッチ部１０１にて設定された所定時間以外に、上記光量判定部１０７ｂにて判定した信号がＬＥＤ６を点灯させる指令信号でなお且つ人感センサ１０６にて人を検知した場合は、ＬＥＤ駆動部１０２より図８（ａ）〜（ｄ）に示す何れかのＰＷＭ信号を出力させるようにしておけばよい。
【００３９】
しかして、上記詳述した本実施形態によれば、手摺り笠木２等の建築部材に設けられた照明装置取付用凹溝１０に嵌合固定される本体ケース１２内に複数のＬＥＤ基板１４が所定間隔を置いて取付けられ、その各ＬＥＤ基板１４には夫々ＬＥＤ６が実装されている。そして、これらＬＥＤ６の照度をＬＥＤ制御ユニット１００によって、所定時間毎に変化させることができる。そのため、例えば、図７に示すように、周囲がまださほど暗くなっていない時間帯は、低い照度で周囲を照らし、周囲が暗くなる時間帯には、より高い照度で周囲を照らすことができる。それゆえ、本実施形態によれば、ＬＥＤ６の最大照度で周囲を照らした場合に比べ、図７に示す斜線部分の電力が節電できることとなるから、無駄な電力消費を抑えることができる。
【００４０】
なお、本実施形態では、図示は省略しているが、ＬＥＤ制御ユニット１００の電源は、外部電源を用いても良いし、内蔵バッテリを用いても良い。
【００４１】
また、本実施形態においては、人感センサ１０６と光センサ部１０７を２つ設ける例を示したが、人感センサのみ又は光センサ部のみを設けても良いことは言うまでもない。
【００４２】
さらに、本実施形態によれば、ＬＥＤ６の所定時間毎の照度の設定を、タイマスイッチ部１０１と照度設定部１０３の２つを用いて設定する例を示したが、勿論タイマスイッチ部１０１と照度設定部１０３を融合させたもの（例えば、図６に示す装置で照度を設定できるようにしたもの）で設定できるようにしても良い。また、本実施形態では、タイマスイッチ部１０１と照度設定部１０３は５系統の出力回路を設ける例を示したが、５系統に限らず、何系統でも良い。
【符号の説明】
【００４３】
２            手摺り笠木
６            ＬＥＤ
１０          照明装置取付用凹溝（凹溝）
１２          本体ケース
１４          ＬＥＤ基板
１００        ＬＥＤ制御ユニット
１０１        タイマスイッチ部（照度時間設定手段）
１０２        ＬＥＤ駆動部（ＬＥＤ駆動手段）
１０３        照度設定部（照度時間設定手段）
１０４        ＰＷＭ信号生成部（ＰＷＭ信号生成手段）
１０７        光センサ部
１０７ａ      光センサ（光量検知手段）
１０７ｂ      光量判定部（光量判定手段）
１０７ｃ      閾値設定部（閾値設定手段）
【図１】
0005560217.tif 000002
【図２】
0005560217.tif 000003
【図３】
0005560217.tif 000004
【図４】
0005560217.tif 000005
【図５】
0005560217.tif 000006
【図６】
0005560217.tif 000007
【図７】
0005560217.tif 000008
【図８】
0005560217.tif 000009